(57)【特許請求の範囲】
【請求項１】
側壁を有するケースであって、前記側壁の上縁部が上方に開口する開口部とされており、前記側壁の前記上縁部から下方に凹んだ凹部を有する前記ケースと、
前記開口部側から前記凹部に嵌め入れられるスライドカバーと、を備え、
前記ケースのうち前記凹部の側縁部には、前記側壁の肉厚よりも薄い第１薄肉部が前記開口部の開口方向に沿って形成されており、
前記スライドカバーには、前記スライドカバーの肉厚よりも薄い第２薄肉部が前記開口部の開口方向に沿って形成されており、
前記スライドカバーが前記凹部に嵌め入れられた状態で、前記第１薄肉部と前記第２薄肉部とが重なっており、
前記第１薄肉部には、前記第１薄肉部の開口縁部と側縁部との境界部分が面取りされた面取り部が設けられており、
前記スライドカバーには、前記スライドカバーが前記凹部に嵌め入れられた状態で前記面取り部に対応する位置に、前記面取り部と当接する当接部が形成されている、電気接続箱。
【請求項２】
前記スライドカバーが前記凹部に嵌め入れられた状態で、前記第１薄肉部と前記第２薄肉部とは、前記側壁の肉厚寸法の範囲内で重なっている、請求項１に記載の電気接続箱。
【請求項３】
前記ケースには、前記開口部を塞ぐ蓋部材が取り付けられており、
前記スライドカバーは、前記蓋部材と弾性的に係止するロック部を備える、請求項１または請求項２に記載の電気接続箱。
【請求項４】
前記蓋部材は、電子部品を備えた電子機器である、請求項３に記載の電気接続箱。
【請求項５】
前記スライドカバーが前記凹部に嵌め入れられた状態で、前記側壁と前記スライドカバーとの間には前記ケースの内部から電線が導出される導出口が設けられており、
前記スライドカバーには前記電線が固定される固定部が設けられている、請求項１から請求項４のいずれか一項に記載の電気接続箱。
【発明の詳細な説明】
【技術分野】
【０００１】
本明細書に開示された技術は、電気接続箱に関する。
【背景技術】
【０００２】
従来、車両に搭載されて、ランプやヒータ等の車載電装品の通電を実行する電気接続箱として、特開２０１０−４１８０８号公報が知られている。この電気接続箱は、ケース内に収容されたリレー等により、車載電装品へ供給される電流のオン・オフを実行する。
【０００３】
特開２０１０−４１８０８号公報の図３に示されるように、ケースの側壁には、側壁の肉厚方向に開口する切欠部が形成されている。特開２０１０−４１８０８号公報の図４に示すように、この切欠部は、電気接続箱の組み立て工程において、スライドカバーを取り付けることによって塞がれる。
【０００４】
従来技術においては、スライドカバーに形成された外側リブ及び内側リブが、それぞれ、ケースに形成された外側溝及び内側溝に収容されている。これにより、外側リブと外側溝との間、及び、内側リブと内側溝との間に入り組んだ構造（いわゆるラビリンス構造）が形成される。この結果、ケースと、閉鎖カバーとの間が止水される。
【先行技術文献】
【特許文献】
【０００５】
【特許文献１】特開２０１０−４１８０８号
【発明の概要】
【発明が解決しようとする課題】
【０００６】
しかしながら上記の構成によれば、ケースの側壁の肉厚方向について、外側溝、外側リブ、内側溝、及び内側リブが並んで形成されているので、ケースが大型化するという問題があった。
【０００７】
そこで、外側リブ若しくは内側リブを薄くすることが考えられる。しかし、単純に外側リブ若しくは内側リブを薄くすると、外側リブ若しくは内側リブの強度が低下することが懸念される。
【０００８】
本明細書に開示された技術は上記のような事情に基づいて完成されたものであって、スライドカバーの強度が向上した電気接続箱を提供することを目的とする。
【課題を解決するための手段】
【０００９】
本明細書に開示された技術に係る電気接続箱は、側壁を有するケースであって、前記側壁の上縁部が上方に開口する開口部とされており、前記側壁の前記上縁部から下方に凹んだ凹部を有する前記ケースと、前記開口部側から前記凹部に嵌め入れられるスライドカバーと、を備え、前記ケースのうち前記凹部の側縁部には、前記側壁の肉厚よりも薄い第１薄肉部が前記開口部の開口方向に沿って形成されており、前記スライドカバーには、前記スライドカバーの肉厚よりも薄い第２薄肉部が前記開口部の開口方向に沿って形成されており、前記スライドカバーが前記凹部に嵌め入れられた状態で、前記第１薄肉部と前記第２薄肉部とが重なっており、前記第１薄肉部には、前記第１薄肉部の開口縁部と側縁部との境界部分が面取りされた面取り部が設けられており、前記スライドカバーには、前記スライドカバーが前記凹部に嵌め入れられた状態で前記面取り部に対応する位置に、前記面取り部と当接する当接部が形成されている。
【００１０】
上記の構成によれば、スライドカバーには、ケースに形成された面取り部と当接する当接部が形成されている。この当接部によって、スライドカバーの薄肉部が、スライドカバーの肉厚方向について補強されているので、スライドカバーの強度を向上させることができる。
【００１１】
本明細書に開示された技術の実施態様としては以下の態様が好ましい。
【００１２】
前記スライドカバーが前記凹部に嵌め入れられた状態で、前記第１薄肉部と前記第２薄肉部とは、前記側壁の肉厚寸法の範囲内で重なっていることが好ましい。
【００１３】
上記の構成によれば、ケース、及びスライドカバーが、ケースの側壁の肉厚方向について大型化することが抑制される。
【００１４】
前記ケースには、前記開口部を塞ぐ蓋部材が取り付けられており、前記スライドカバーは、前記蓋部材と弾性的に係止するロック部を備えることが好ましい。
【００１５】
上記の構成によれば、ケースに取り付けられた蓋部材によって、スライドカバーがケースに対して押圧されるので、ケースとスライドカバーとの間の密着性が向上するので、ケースとスライドカバーとの間の止水性が向上する。
【００１６】
さらに、スライドカバーは、蓋部材と係止するロック部を備えているので、蓋部材によって確実に押圧されるようになっている。この結果、ケースとスライドカバーとの間の止水性が一層向上する。
【００１７】
前記蓋部材は、電子部品を備えた電子機器であることが好ましい。
【００１８】
上記の構成によれば、蓋部材は電子部品を備えているので、単なる蓋に比べて、質量が大きくなっている。この結果、この蓋部材によってスライドカバーはケースに対して確実に押圧されるので、ケースとスライドカバーとの間の止水性が向上する。
【００１９】
前記スライドカバーが前記凹部に嵌め入れられた状態で、前記側壁と前記スライドカバーとの間には前記ケースの内部から電線が導出される導出口が設けられており、前記スライドカバーには前記電線が固定される固定部が設けられていることが好ましい。
【００２０】
上記の構成によれば、電線によってスライドカバーが押圧されることにより、スライドカバーは、ケースに対して押圧される。この結果、ケースとスライドカバーとの間の密着性が向上するので、ケースとスライドカバーとの間の止水性が向上する。
【発明の効果】
【００２１】
本明細書に開示された技術によれば、電気接続箱のケースが破損することを抑制することができる。
【図面の簡単な説明】
【００２２】
【図１】実施形態１に係る電気接続箱を示す斜視図
【図２】蓋部材が取り外された状態の電気接続箱を示す斜視図
【図３】電気接続箱を示す一部拡大側面図
【図４】図３におけるＩＶ−ＩＶ線断面図
【図５】蓋部材が取り外された状態であって、且つ、スライドカバーが取り外された状態の電気接続箱を示す一部拡大斜視図
【図６】凹部の形状を示す一部拡大斜視図
【図７】スライドカバーを示す側面図
【図８】凹部にスライドカバーが嵌め入れられた状態を示す一部拡大斜視図
【図９】蓋部材が取り外された状態の電気接続箱を示す一部拡大側面図
【図１０】凹部にスライドカバーが嵌め入れられた状態を示す一部拡大平面図
【図１１】図９におけるＸＩ−ＸＩ線断面図
【図１２】当接部を示す一部拡大斜視図
【発明を実施するための形態】
【００２３】
＜実施形態１＞
本明細書に開示された技術を車両用の電気接続箱１０に適用した実施形態１を図１から図１２を参照して説明する。この電気接続箱１０は、バッテリー等の電源（図示せず）と、ヘッドランプ、ワイパー等の車載電装品（図示せず）との間に接続されて、各種車載電装品の通電及び断電を行う。電気接続箱１０は、上方に開口する開口部１２が形成されたケース１１を備える。なお、以下の説明においては、Ｚ方向を上方とし、Ｘ方向を右方とし、Ｙ方向を下方として説明する。
【００２４】
（ケース１１）
図２に示すように、合成樹脂製のケース１１には上方に開口する開口部１２が形成されている。この開口部１２は、図１に示すように、合成樹脂製の蓋部材１３がケース１１に上方から取り付けられることにより塞がれるようになっている。ケース１１と蓋部材１３とは、ケース１１に設けられたロック部１４と、蓋部材１３に設けられたロック受け部１５とが弾性的に係合することにより一体に組み付けられる。なお、開口部１２内にはコネクタ、リレー等が収容されるが、詳細な構成については省略されている。ケース１１は側壁１６を有しており、側壁１６の上縁部が、上方に開口する開口部１２とされている。なお、側壁１６の壁面は上下方向に沿って配置されている。
【００２５】
図５及び図６に示すように、側壁１６には、側壁１６の上縁部から下方に凹んだ凹部１８が形成されている。図１１に示すように、凹部１８の側縁部１９には、側壁１６の肉厚よりも薄い第１薄肉部３０が、開口部１２の開口方向（上下方向）に沿って延びている。第１薄肉部３０は、側壁１６の外面側に形成されている。これにより、第１薄肉部３０の内面と、側壁１６の内面とは、側壁１６の肉厚方向について、段差状に形成されている。第１薄肉部３０は、凹部１８の両側縁に設けられている。
【００２６】
図６に示すように、第１薄肉部３０には、第１薄肉部３０の開口縁部３１（上縁部）と、凹部１８の側縁部１９との境界部分が面取りされた面取り部２０が設けられている。本実施形態においては、面取り部２０は、角部が直線状に切り取られた形状に形成されている。
【００２７】
（スライドカバー２３）
図２及び図３に示すように、凹部１８には、開口部１２側から（上方から）合成樹脂製のスライドカバー２３が嵌め入れられるようになっている。凹部１８にスライドカバー２３が嵌め入れられた状態で、凹部１８は、後述する導出口４１を除いて、スライドカバー２３によって塞がれている。スライドカバー２３が凹部１８に嵌め入れられた状態で、スライドカバー２３の上縁部と、ケース１１の側壁１６の上縁部とは、略面一に形成されている。
【００２８】
ケース１１の側壁１６の外面には、凹部１８の左右両側方に、外方に突出する係止凸部２４が形成されている。一方、スライドカバー２３には、凹部１８にスライドカバー２３が嵌め入れられた状態で、係止凸部２４に対応する位置に、この係止凸部２４と弾性的に係合する係止受け部２５が設けられている。係止受け部２５は、側方から見て枠状をなしている。この係止受け部２５の枠内に、係止凸部２４が嵌合することにより、スライドカバー２３がケース１１に組み付けられるようになっている。
【００２９】
スライドカバー２３の厚さ寸法は、ケース１１の側壁１６の厚さ寸法と略同じに設定されている。これにより、スライドカバー２３が凹部１８に嵌め入れられた状態で、スライドカバー２３の外面と、側壁１６の外面とは、略面一に形成されており、また、スライドカバー２３の内面と、側壁１６の内面も、略面一に形成されている。
【００３０】
図１１に示すように、スライドカバー２３の側縁部には、スライドカバー２３の肉厚よりも薄い第２薄肉部３２が、開口部１２の開口方法（上下方向）に沿って延びている。第２薄肉部３２は、スライドカバー２３の外面側に形成されている。これにより、第２薄肉部３２の外面と、スライドカバー２３の外面とは、スライドカバー２３の肉厚方向について、段差状に形成されている。第２薄肉部３２は、スライドカバー２３の両側縁に設けられている。
【００３１】
図１０に示すように、スライドカバー２３が凹部１８に嵌め入れられた状態で、第１薄肉部３０と第２薄肉部３２とは、ケース１１の側壁１６の肉厚寸法の範囲内で、ケース１１の側壁１６の肉厚方向について重なっている。また、スライドカバー２３が凹部１８に嵌め入れられた状態で、第１薄肉部３０と第２薄肉部３２とは、スライドカバー２３の肉厚寸法の範囲内で、スライドカバー２３の肉厚方向について重なっている。
【００３２】
スライドカバー２３の第２薄肉部３２には、ケース１１の第１薄肉部３０に形成された面取り部２０に対応する位置に、面取り部２０に対して上方から当接する当接部２８が形成されている。当接部２８は、面取り部２０の形状と対応して形成されている。これにより、スライドカバー２３がケース１１に取り付けられた状態では、当接部２８は面取り部２０と密着している。この結果、面取り部２０に対応する領域は、当接部２８によって塞がれている。
【００３３】
図１２に示すように、当接部２８は、第２薄肉部３２の両側縁部のうち、上端部分が、他の部分よりも肉厚に設定されることにより形成されている。当接部２８の厚さ寸法は、ケース１１の側壁１６の厚さ寸法と略同じに設定されている。これにより、スライドカバー２３が凹部１８に嵌め入れられた状態で、当接部２８の外面はケース１１の側壁１６の外面と略面一に形成されている。
【００３４】
スライドカバー２３の外面には、蓋部材１３に設けられたロック受け部１５と弾性的に係合するロック部１４Ａが形成されている。スライドカバー２３に形成されたロック部１４Ａの形状は、ケース１１の外面に設けられたロック部１４の形状と同じに形成されている。
【００３５】
スライドカバー２３が凹部１８に嵌め入れられた状態で、ケース１１の側壁１６と、スライドカバー２３の下端部との間には、ケース１１の内部から複数の電線４０が導出される導出口４１が設けられている（図３参照）。本実施形態においては、電線４０の直径は、全て同じであってもよいし、また異なっていてもよく、必要に応じて適宜に設定することができる。
【００３６】
凹部１８の下端部には、導出口４１の下部を構成するものであって、電線４０が載置される載置部４２が設けられている。載置部４２は、上面が凹状をなす溝状に形成されている。また、スライドカバー２３の下端部には、電線４０が固定される固定部４３が設けられている。固定部４３は、スライドカバー２３の下端部において、凹部１８の載置部４２と対向する位置に配されており、庇状をなしている。
【００３７】
複数の電線４０は、載置部４２に載置された状態で、周知のテープ（図示せず）が巻き付けられることによって、固定部４３及び載置部４２に固定されるようになっている。
【００３８】
（蓋部材１３）
蓋部材１３は、ケース１１の開口部１２と対応する形状をなすとともに、開口部１２よりも一回り大きな形状をなしている。これにより、蓋部材１３は、ケース１１の開口部１２を塞ぐことができるようになっている。
【００３９】
図４に示すように、本実施形態においては、蓋部材１３は、箱状をなしている。蓋部材１３の内部には、回路基板４４と、この回路基板４４に実装された電子部品４５とが収容されている。このように、本実施形態においては、蓋部材１３は、電子部品４５を備えた電子機器４６とされている。このため、本実施形態に係る蓋部材１３は、内部に電子部品４５を有しない単なる蓋に比べて、大きな質量を有している。
【００４０】
（本実施形態の作用、効果）
続いて、本実施形態の作用、効果について説明する。本実施形態に係る電気接続箱１０は、側壁１６を有するケース１１であって、側壁１６の上縁部が上方に開口する開口部１２とされており、側壁１６の上縁部から下方に凹んだ凹部１８を有するケース１１と、開口部１２側から凹部１８に嵌め入れられるスライドカバー２３と、を備え、ケース１１のうち凹部１８の側縁部１９には、側壁１６の肉厚よりも薄い第１薄肉部３０が開口部１２の開口方向に沿って形成されており、スライドカバー２３には、スライドカバー２３の肉厚よりも薄い第２薄肉部３２が開口部１２の開口方向に沿って形成されており、スライドカバー２３が凹部１８に嵌め入れられた状態で、第１薄肉部３０と第２薄肉部３２とが重なっており、第１薄肉部３０には、第１薄肉部３０の開口縁部３１と側縁部との境界部分が面取りされた面取り部２０が設けられており、スライドカバー２３には、スライドカバー２３が凹部１８に嵌め入れられた状態で面取り部２０に対応する位置に、面取り部２０と当接する当接部２８が形成されている。
【００４１】
上記の構成によれば、スライドカバー２３には、ケース１１に形成された面取り部２０と当接する当接部２８が形成されている。この当接部２８によって、スライドカバー２３の第２薄肉部３２が、スライドカバー２３の肉厚方向について補強されているので、スライドカバー２３の強度を向上させることができる。
【００４２】
また、本実施形態によれば、スライドカバー２３が凹部１８に嵌め入れられた状態で、第１薄肉部３０と第２薄肉部３２とは、側壁１６の肉厚寸法の範囲内で重なっている。
【００４３】
上記の構成によれば、ケース１１、及びスライドカバー２３が、ケース１１の側壁１６の肉厚方向について大型化することが抑制される。
【００４４】
また、本実施形態によれば、ケース１１には、開口部１２を塞ぐ蓋部材１３が取り付けられており、スライドカバー２３は、蓋部材１３と弾性的に係止するロック部１４を備える。
【００４５】
上記の構成によれば、ケース１１に取り付けられた蓋部材１３によって、スライドカバー２３がケース１１に対して押圧されるので、ケース１１とスライドカバー２３との間の密着性が向上するので、ケース１１とスライドカバー２３との間の止水性が向上する。
【００４６】
さらに、スライドカバー２３は、蓋部材１３と係止するロック部１４Ａを備えているので、蓋部材１３によって確実に押圧されるようになっている。この結果、ケース１１とスライドカバー２３との間の止水性が一層向上する。
【００４７】
また、本実施形態によれば、蓋部材１３は、電子部品４５を備えた電子機器４６である。
【００４８】
上記の構成によれば、蓋部材１３は電子部品４５を備えているので、単なる蓋に比べて、質量が大きくなっている。この結果、この蓋部材１３によってスライドカバー２３はケース１１に対して確実に押圧されるので、ケース１１とスライドカバー２３との間の止水性が向上する。
【００４９】
また、本実施形態によれば、スライドカバー２３が凹部１８に嵌め入れられた状態で、側壁１６とスライドカバー２３との間にはケース１１の内部から電線４０が導出される導出口４１が設けられており、スライドカバー２３には電線４０が固定される固定部４３が設けられている。
【００５０】
上記の構成によれば、電線４０によってスライドカバー２３が押圧されることにより、スライドカバー２３は、ケース１１に対して押圧される。この結果、ケース１１とスライドカバー２３との間の密着性が向上するので、ケース１１とスライドカバー２３との間の止水性が向上する。
【００５１】
＜他の実施形態＞
本明細書に開示された技術は上記記述及び図面によって説明した実施形態に限定されるものではなく、例えば次のような実施形態も本明細書に開示された技術の技術的範囲に含まれる。
【００５２】
（１）本実施形態においては、面取り部２０は、角部が直線状に切り取られた形状としたが、これに限られず、角部が曲線状に切り取られた形状としてもよい。すなわち、面取り部は、いわゆるＲ面取り形状としてもよい。この場合には、当接部２８は、面取り部と対応するように曲線状に形成される。また、面取り部は必要に応じて任意の形状に形成することが可能であり、当接部２８は面取り部の形状に倣って形成される。
【００５３】
（２）本実施形態においては、蓋部材１３は電子部品４５を備えた電子機器４６である構成としたが、これに限られず、合成樹脂からなるものであって、内部に電子部品４５を有しない単なる蓋であってもよい。
【００５４】
（３）本実施形態においては、第１薄肉部３０と第２薄肉部３２とは、側壁１６の肉厚寸法の範囲内で重なっている構成としたが、これに限られず、第１薄肉部３０と第２薄肉部３２とが重なった状態で、ケース１１の側壁１６の肉厚寸法よりも厚くなっていてもよいし、また、薄くなっていてもよい。
【００５５】
（４）本実施形態においては、スライドカバー２３とケース１１との間から電線４０が導出される導出口４１が形成される構成としたが、これに限られず、スライドカバー２３とケース１１との間に導出口４１が形成されない構成としてもよい。
【００５６】
（５）本実施形態においては、第１薄肉部３０がケース１１の外面側に位置し、第２薄肉部３２がケース１１の内面側に位置する構成としたが、これに限られず、第１薄肉部がケース１１の内面側に位置し、第２薄肉部がケース１１の外面側に位置する構成としてもよい。
【符号の説明】
【００５７】
１０：電気接続箱
１１：ケース
１２：開口部
１３：蓋部材
１４Ａ：ロック部
１６：側壁
１８：凹部
２０：面取り部
２３：スライドカバー
２８：当接部
３０：第１薄肉部
３２：第２薄肉部
４０：電線
４１：導出口
４３：固定部
４５：電子部品
４６：電子機器
【図１】
0006555193.tif 000002
【図２】
0006555193.tif 000003
【図３】
0006555193.tif 000004
【図４】
0006555193.tif 000005
【図５】
0006555193.tif 000006
【図６】
0006555193.tif 000007
【図７】
0006555193.tif 000008
【図８】
0006555193.tif 000009
【図９】
0006555193.tif 000010
【図１０】
0006555193.tif 000011
【図１１】
0006555193.tif 000012
【図１２】
0006555193.tif 000013